(57)【要約】【課題】重量のある装置を引き出す際にも脱落することなく円滑な作業を行うことができる装置引出機構の提供を目的とする。【解決手段】重量のある装置を引き出すために用いられる装置引出機構１において、基礎に取り付けられる支持部２と、支持部２に対して相対移動できるように、支持部に支持された引出部３と、引出部に取り付けられた第１の制止部材４と、支持部２に取り付けられ、引出部３が所定の位置まで相対移動により移動したときに、第１の制止部材４に当接することにより、引出部３の移動を制止する第２の制止部材６と、第１の制止部材４と第２の制止部材６との両方又はいずれか一方を弾性支持するバネ７とを備える。【選択図】  図３
2004240921.tif 000002
【特許請求の範囲】
【請求項１】
重量のある装置を引き出すために用いられる装置引出機構において；
基礎に取り付けられる支持部と；
前記支持部に対して相対移動できるように前記支持部に支持された引出部と；
前記引出部に取り付けられた第１の制止部材と；
前記支持部に取り付けられ、前記引出部が所定の位置まで前記相対移動により移動したときに、前記第１の制止部材に当接することにより、前記引出部の移動を制止する第２の制止部材と；
前記第１の制止部材と前記第２の制止部材との両方又はいずれか一方を弾性支持するバネとを備える；
装置引出機構。
【請求項２】
重量のある装置を引き出す際に用いられる装置引出機構において；
基礎に取り付けられる支持部と；
前記支持部に対して相対移動できるように前記支持部に支持された引出部と；
前記引出部に取り付けられた第１の制止部材と；
前記支持部と前記引出部との各々に対して相対移動可能な移動部材と；
前記移動部材に取り付けられ、前記引出部が所定の位置まで前記相対移動により移動したときに、前記第１の制止部材に当接することにより、前記引出部の移動を制止する第２の制止部材と；
前記第１の制止部材と前記第２の制止部材との両方又はいずれか一方を弾性支持する弾性部材とを備える；
装置引出機構。
【請求項３】
請求項１又は請求項２に記載の装置引出機構と；
貨幣を収納する収納部とを備えた；
貨幣処理装置。
【請求項４】
請求項３に記載の貨幣処理装置と；
利用者の操作を受け付ける接客部とを備えた；
取引装置。
【発明の詳細な説明】
【０００１】
【発明の属する技術分野】
本発明は装置引出機構、貨幣処理装置、及び取引装置に関し、特に重量のある装置を引き出す際にも円滑な作業を行うことができる装置引出機構、該装置引出機構を備えた貨幣処理装置、及び該貨幣処理装置を備えた取引装置に関するものである。
【０００２】
【従来の技術】
従来から、自動券売機や精算機等の取引装置には、貨幣処理装置等のユニット化されたユニット機構が、前記取引装置の外枠である筐体に内蔵されて構成されている。このような取引装置では、ユニット機構の保守や点検を行うために、ユニット機構を筐体から引き出すことができるように、装置引出機構が備えられている。従来の装置引出機構としては、例えば、スライドレールに沿ってユニット機構を引き出すことが可能に構成されているものがあった。この装置引出機構は、複数のストッパを有しており、このストッパの各々が互いに当接することで、引き出した際にユニット機構が所定の位置で制止するように構成されていた（例えば、特許文献１参照。）。
【０００３】
【特許文献１】
特開平１１−１２０４２７号公報  （第３−５頁、第４−５図）
【０００４】
【発明が解決しようとする課題】
しかしながら、貨幣処理装置等のユニット機構は高機能、例えば貨幣、特に硬貨の収納量を増加させたものが求められており、重量のあるものとなっているため、従来の装置引出機構では、例えば強い力で引き出した場合、ストッパが破損して貨幣処理装置が脱落してしまう可能性があった。このため慎重な作業が要求され、円滑な作業の妨げになることがあった。
【０００５】
そこで本発明は、重量のある装置を引き出す際にも脱落することなく円滑な作業を行うことができる装置引出機構、該装置引出機構を備えた貨幣処理装置、及び該貨幣処理装置を備えた取引装置の提供を目的とする。
【課題を解決するための手段】
【０００６】
上記目的を達成するために、請求項１に係る発明による装置引出機構１は、例えば図３に示すように、重量のある装置を引き出すために用いられる装置引出機構１において、基礎２０６に取り付けられる支持部２と；支持部２に対して相対移動できるように支持部２に支持された引出部３と；引出部３に取り付けられた第１の制止部材４と；支持部２に取り付けられ、引出部３が所定の位置まで前記相対移動により移動したときに、第１の制止部材４に当接することにより、引出部３の移動を制止する第２の制止部材６と；第１の制止部材４と第２の制止部材６との両方又はいずれか一方を弾性支持するバネ７とを備える。
【０００７】
このように構成すると、支持部２と、引出部３とを備え、引出部３が、支持部２に対して相対移動できるように支持部２に支持されているので、重量のある装置を引き出すことができる。さらに、引出部３に取り付けられた第１の制止部材４と、支持部２に取り付けられ、引出部３が所定の位置まで前記相対移動により移動したときに、第１の制止部材４に当接することにより、引出部３の移動を制止する第２の制止部材６と、第１の制止部材４と第２の制止部材６との両方又はいずれか一方を弾性支持するバネ７とを備えるので、制止の衝撃を緩和することができ、重量のある装置を引き出す際にも脱落することなく円滑な作業を行うことができる装置引出機構を提供できる。
【０００８】
上記目的を達成するために、請求項２に係る発明による装置引出機構１は、例えば図３に示すように、重量のある装置を引き出す際に用いられる装置引出機構１において；基礎２０６に取り付けられる支持部２と；支持部２に対して相対移動できるように支持部２に支持された引出部３と；引出部３に取り付けられた第１の制止部材４と；支持部２と引出部３との各々に対して相対移動可能な移動部材５と；移動部材５に取り付けられ、引出部３が所定の位置まで前記相対移動により移動したときに、第１の制止部材４に当接することにより、引出部３の移動を制止する第２の制止部材６と；第１の制止部材４と第２の制止部材６との両方又はいずれか一方を弾性支持する弾性部材７とを備える。
【０００９】
このように構成すると、支持部２と、引出部３とを備え、引出部３が、支持部２に対して相対移動できるように支持部２に支持されているので、重量のある装置を引き出すことができる。さらに、引出部３に取り付けられた第１の制止部材４と、支持部２と引出部３との各々に対して相対移動可能な移動部材５と、移動部材５に取り付けられ、引出部３が所定の位置まで前記相対移動により移動したときに、第１の制止部材４に当接することにより、引出部３の移動を制止する第２の制止部材６と、第１の制止部材４と第２の制止部材６との両方又はいずれか一方を弾性支持する弾性部材７とを備えるので、制止の衝撃を緩和することができ、重量のある装置を引き出す際にも脱落することなく円滑な作業を行うことができる装置引出機構を提供できる。
【００１０】
また、このように構成することで、例えば、第２の制止部材６が独立して移動可能であるため、引出部３の移動量に依存することなく、引出部３が所定の位置まで前記相対移動により移動したときに、第１の制止部材４と第２の制止部材６とが当接することにより、引出部３の移動を制止できる。
【００１１】
上記目的を達成するために、請求項３に係る発明による貨幣処理装置１００は、例えば図５、図６に示すように、請求項１又は請求項２に記載の装置引出機構１と；貨幣を収納する収納部１０１とを備える。
【００１２】
このように構成すると、上記の装置引出機構１を備えるので、例えば収納部１０１により重量が大きくなった場合であっても、例えば強い力で素早く引き出すことが可能であり、円滑な作業を行うことができる。
【００１３】
上記目的を達成するために、請求項４に係る発明による取引装置２００は、例えば図７、図８に示すように、請求項３に記載の貨幣処理装置１００と；利用者の操作を受け付ける接客部２１０とを備える。
【００１４】
このように構成すると、上記の装置引出機構１を備える貨幣処理装置１００を備えるので、貨幣処理装置１００を引き出す作業を円滑に行えるので、容易に保守・点検を行うことができる。
【００１５】
【発明の実施の形態】
以下、本発明の実施の形態について、図面を参照して説明する。なお、各図においてお互いに同一あるいは相当する部材には同一符号を付し、重複した説明は省略する。
【００１６】
図１、図２、図３、図４を参照して、本発明の第１の実施の形態に係る装置引出機構としてのスライドレール機構１の説明をする。図１は引出部３が支持部２から引き出された状態を示す平面図であり、図２は引出部３が支持部２に収納された状態を示す平面図である。図３はスライドレール機構１を図２のＡ方向から見た矢視図である。なお、図３はスライドレール機構１の構成を説明するためグランドブラケット３ｄを取り外して見た図である。図４は第２の制止部材６付近の分解斜視図である。スライドレール機構１は、重量のある装置を引き出すために用いられるものである。重量のある装置は、例えば硬貨、紙幣などの貨幣を処理する貨幣処理装置である。特に、図５で後述する貨幣処理装置としての硬貨処理装置１００は多量の硬貨を収納しているときには大きな重量となる。
【００１７】
図１に示すように、スライドレール機構１は、基礎としてのフロアベース２０６（図５参照）に取り付けられる支持部としてのグランドベース２と、グランドベース２に対して相対移動できるようにグランドベース２に支持された引出部としてのグランドブラケット３とを含んで構成される。グランドブラケット３は、後述のように、グランドブラケット３ａと、グランドブラケット３ｂと、グランドブラケット３ｃ、グランドブラケット３ｄとを含んで構成される。以下、これらを特に区別しないときには単にグランドブラケット３という。
【００１８】
さらに、スライドレール機構１は、グランドブラケット３に取り付けられた第１の制止部材としての第１のストッパ４と、グランドベース２とグランドブラケット３との各々に対して相対移動可能な移動部材としてのストッパレール５と、ストッパレール５に取り付けられ、グランドブラケット３が所定の位置まで前記相対移動により移動したときに、第１のストッパ４と当接することにより、グランドブラケット３の移動をを制止する第２の制止部材としての第２のストッパ６と、第１のストッパ４と第２のストッパ６との両方又はいずれか一方を弾性支持する弾性部材としてのコイルバネ７とを備えている。第１のストッパ４は、グランドブラケット３ａの端部近傍に一体に形成される。本実施の形態では、第２ストッパ６がコイルバネ７により弾性支持されている場合で説明する。
【００１９】
また、スライドレール機構１は、スライドレール８と、第２のストッパ６が取り付けられたストッパブラケット９と、グランドブラケット３ｄに形成された第３のストッパ１０と、ストッパレール５に形成された第４のストッパ１１を含んで構成される。グランドベース２と、グランドブラケット３と、第１のストッパ４と、第３のストッパ１０と、スライドレール８は、スライドレール部１２を構成しており、ストッパレール５と、第２のストッパ６と、コイルバネ７と、ストッパブラケット９と、第４のストッパ１１はストッパ部１３を構成している。以下、上記構成について詳細に説明する。
【００２０】
まず、スライドレール部１２についての詳細な説明をする。
【００２１】
図２に示すように、スライドレール部は、互いに平行に配設されたグランドブラケット３ａ、グランドブラケット３ｂ、グランドブラケット３ｃを含み、それぞれ図２中紙面に向かって下方の引き出し方向側の端部で、グランドブラケット３ｄによって結合され、一体となってグランドブラケット３を形成している。
【００２２】
グランドブラケット３ａのグランドブラケット３ｄが結合されている端部と反対側にあるもう一方の端部には、グランドブラケット３がグランドベース２から所定の位置まで引き出された際に、後述の第２のストッパ６と当接するように第１のストッパ４が形成されている。さらに、グランドブラケット３ｄには第３のストッパ１０が形成されている。
【００２３】
つぎに、図３を参照してスライドレール８を説明する。スライドレール８は、外レール８ａと、中レール８ｂと、内レール８ｃとを含んで構成される。スライドレール８の外レール８ａ、中レール８ｂ、内レール８ｃの断面形状は、各々略コの字型の形状をしている。各レールの略コの字型の３辺のうちの両側の辺は、断面でみて凹に形成された溝を持つレールになっており、それぞれのレールの間、即ち外レールの略コの字型の内側の溝と、中レール８ｂの略コの字型の外側の溝、内レール８ｃの略コの字型の外側の溝には、それぞれボールが挟み込まれて組み立てられている。これらのボールが転がることにより各レールは相対的に直線的に滑らかに移動できる。移動方向は、図３中では紙面に直交する方向である。
【００２４】
フロアベース２０６に固定されたグランドベース２は、断面形状が略コの字型に形成されている。グランドベース２は、略コの字型の開口部は上方を向くように、略コの字型の中央の辺がフロアベース２０６に固定されている。グランドベース２の略コの字型の両側の辺の外側には、一対のスライドレール８の外レール８ａが外側を向くようにして固定されている。前述のように、外レール８ａは断面形状が略コの字型に形成されており、外レール８ａの略コの字型の中央の辺の外側が、グランドベース２の略コの字型の両側の辺の外側に固定的に取り付けられている。さらにグランドベース２の略コの字型の中央の辺の内側には、３本目のスライドレール８の外レール８ａを、グランドベース２に固定するための断面形状が略Ｌ字型の板金が固定的に取り付けられている。略Ｌ字型の板金の辺のうち、グランドベース２の略コの字型の中央の辺に対して垂直な辺に、外レール８ａの略コの字型の中央の辺の外側が固定的に取り付けられている。３本のスライドレール８とグランドベース２は、合わせて略Ｅ字型になるように固定されている。
【００２５】
３本のスライドレール８の内レール８ｃの略コの字型の背中には、それぞれ断面形状が略Ｌ字型で、前述のグランドブラケット３（図２参照）を構成しているグランドブラケット３ａ、グランドブラケット３ｂ、グランドブラケット３ｃの長辺の内側に固定的に取り付けられている。
【００２６】
さらに、グランドブラケット３上には、断面形状が略コの字型のコの字型ブラケット１１５が、コの字の開口が図３中紙面に向かって下方に伏せられた状態で取り付けられている。コの字型ブラケット１１５は、図５で後述する硬貨処理装置１００の最下部の台板を形成している。
【００２７】
このような構成であるため、グランドブラケット３に取り付けられる装置が、例えば後述する硬貨処理装置１００（図５参照）のような重量のある装置であっても、グランドブラケット３をグランドベース２から水平方向に容易に引き出すことができる。
【００２８】
スライドレール機構１では、支持部としてのグランドベース２が基礎としてのフロアベース２０６の上に載置されている。グランドベース２は不図示のボルトによりフロアベース２０６に固定されている。なおグランドベース２は、本図のようにフロアベース２０６に直接取り付けられるほか、不図示の他の部材を介して取り付けられていてもよい。
【００２９】
つぎに、ストッパ部１３についての詳細な説明をする。
【００３０】
図４の分解斜視図に示すように、ストッパレール５は、グランドベース２に沿って、スライドレール８とは反対の側に設置されている。グランドベース２は、スライドレール８の外レール８ａが固定されている面の反対側に、突部として形成されたストッパレールガイド１６を有している。ストッパレール５は、略コの字型の断面形状をしており（図３参照）、略コの字型の中央の辺には長穴１７を有している。ストッパレール５は、この長穴にストッパレールガイド１６が挿入されことにより、グランドベース２に対して所定の範囲で相対移動可能に取り付けられている。本実施の形態ではストッパレールガイド１６と長穴１７は、移動方向にそれぞれ２つづつ形成されている。
【００３１】
グランドブラケット３が所定の位置まで引き出された際に、第１のストッパ４（図２参照）と当接する前述の第２のストッパ６は、ストッパブラケット９の引き出し方向側の端部に形成されている。ストッパブラケット９には長穴１４が形成されている。ストッパブラケット９は、ストッパレール５の引き出し方向側の端部付近に突部として形成されているストッパブラケットガイド１５を、この長穴１４に挿入することで取り付けられている。これにより、ストッパブラケット９は、ストッパレール５に対して所定の範囲で相対移動可能となる。本実施の形態ではストッパブラケットガイド１５と長穴１４は、移動方向にそれぞれ２つづつ形成されている。
【００３２】
さらに、ストッパブラケット９の第２のストッパ６が形成されている端部と反対側にあるもう一方の端部には、ストッパブラケット９を弾性支持するためのコイルバネ７の一端が取り付けられている。コイルバネ７のもう一方の端部は、ストッパレール５に取り付けられている。コイルバネ７は、所定の位置までグランドブラケット３を引き出し、第１のストッパ４と第２のストッパ１１が当接する際の衝撃を緩和する働きを有する。
【００３３】
また、ストッパレール５の引き出し方向側の端部には、第４のストッパ１１が折り曲げ形成されている。第４のストッパ１１は、引き出されているグランドブラケット３を押し入れる際に、グランドブラケット３ｄに形成された前述の第３のストッパ１０（図２参照）と当接することで、引き出し方向側に移動しているストッパレール５を押し戻す。
【００３４】
さらに、スライドレール機構１の引出動作、押入動作について詳細に説明する。
【００３５】
まず、図１に戻って、スライドレール機構１の引出動作について説明する。グランドベース２からグランドブラケット３を引き出すときには、まずグランドブラケット３が、第１のストッパ４と、第２のストッパ６とが当接する位置まで移動する。ここからさらにグランドブラケット３が移動すると、第２のストッパ６が取り付けられているストッパ部１３は、引き出し方向にグランドブラケット３と共に移動する。グランドブラケット３を所定の位置まで移動させると、ストッパ部１３を構成しているストッパレール５が移動しなくなりしなり、その位置でグランドブラケット３は制止される。このとき、第２のストッパ６を弾性支持しているコイルバネ７が制止の際に生じる衝撃を緩和する。
【００３６】
さらに、図２を参照してスライドレール機構１の押入動作について説明する。
グランドブラケット３をグランドベース２に押し戻すときには、まずグランドブラケット３が、第３のストッパ１０と、第４のストッパ１１とが当接する位置まで移動する。ここからさらにグランドブラケット３が移動すると、第４のストッパ１１を含んで構成されているストッパ部１３は、押し入れ方向にグランドブラケット３と共に移動する。グランドブラケット３を所定の収納位置まで移動させると、ストッパ部１３が有しているストッパレール５が移動しなくなり、その位置でグランドブラケット３は制止される。
【００３７】
このように、スライドレール機構１は、ストッパ部１３が独立して一定範囲で移動可能であるため、スライドレール８の移動範囲がスライドレール８の長さを上回る場合でも、第２のストッパ６の設置が可能となる。さらに、第２のストッパ６が、コイルバネ７により弾性支持されているため、第１のストッパ４と第２のストッパ６が当接し、グランドブラケット３を制止する際の衝撃を緩和する。
これにより、グランドブラケット３上に硬貨処理装置１００等の重量のある装置を載置し、強い力で引き出した場合でも、第２のストッパ６が破損し、スライドレール機構１から装置が脱落する恐れが無い。
【００３８】
本発明の装置引出機構は、上述した実施の形態に限定されず、特許請求の範囲に記載された範囲で種々の変更が可能である。例えば、第２のストッパ６を弾性支持する弾性部材は、コイルバネ７として説明したが、板バネやゴムなどでも良い。
【００３９】
図５、図６を参照して、本発明の第２の実施の形態に係る上述のスライドレール機構１を備えた貨幣処理装置について説明する。ここでは、貨幣処理装置は、硬貨を処理する硬貨処理装置１００として説明する。図５は硬貨処理装置１００の外観を示す斜視図であり、図６は、硬貨処理装置１００の概略構造を説明する模式的断面図である。
【００４０】
まず、図５の斜視図を参照して、スライドレール機構１の硬貨処理装置１００への設置について説明する。硬貨処理装置１００は、上述のスライドレール機構１を備えている。スライドレール機構１は、典型的には、図示のような硬貨処理装置１００に、コの字型ブラケット１１５を介在して設置される。コの字型ブラケット１１５は、スライドレール機構１と硬貨処理装置１００とを確実に固定するものである。
【００４１】
さらに、図６の模式的断面図に示すように、硬貨処理装置１００は貨幣としての硬貨を収納する収納部としての釣銭収納部１０１を備えている。釣銭収納部１０１には、例えば後述のように全金種を合わせて６６００枚程度の硬貨が収納可能である。さらに硬貨処理装置１００は、投入された硬貨を受け付ける投入口部１０２と、返却する硬貨を出金する出金口部１０３と、投入口部１０２に投入された硬貨を繰り出す繰出部１０４と、繰出部１０４から繰り出された硬貨を振分部１０７に搬送する入金搬送部１０５と、搬送される硬貨を検銭する検銭部１０６と、搬送された硬貨を振り分ける振分部１０７と、振分部１０７から放出されたされた硬貨を一時保留し、一時保留後に放出する一時保留部１０８、一時保留部１０８から放出された硬貨を、種類ごとに釣銭収納部１０１に搬送する釣銭通路部１０９と、硬貨処理装置１００内での各種信号の入出力を行い各部の制御をしている制御部１１０（図９参照）と、出金搬送部１１２とを含んで構成される。以下、上記各構成について説明する。なお本実施の形態で使用する硬貨は、日本円硬貨で、１０円、５０円、１００円、５００円の４金種とする。
【００４２】
投入口部１０２は、硬貨処理装置１００の側面のおよそ中央部に設けられ、利用者が複数の硬貨を一括で投入することができる。出金口部１０３は、投入口部１０２の近傍に設けられ、後述のリジェクト硬貨、返却硬貨、釣銭硬貨等を放出できる。
【００４３】
投入口部１０２の硬貨が流れる方向下流には、繰出部１０４が構成されており、一括で投入された複数枚の硬貨を一枚ずつに分離して入金搬送部１０５へ繰り出す。入金搬送部１０５は繰出部１０４の上部からから振分部１０７に延設されており、繰出部１０４から繰り出された硬貨を検銭部１０６、さらには振分部１０７まで搬送するように構成される。さらに検銭部１０６は、入金搬送部１０５に設けられており、その位置は繰出部１０４と振分部１０７の間である。検銭部１０６は、硬貨が正硬貨か否か、金種及び枚数を判定し、その判定結果を制御部１１０に出力するものである。
【００４４】
振分部１０７は、硬貨を検銭部１０６の判定結果により金種ごとに振り分けるものである。振分部１０７は、図６中左側から順に、検銭部１０６により異常と判定された硬貨や判定されなかった硬貨（以下リジェクト硬貨と呼ぶ）用、１０円用、１００円用、５０円用、５００円用となっている。また振分部１０７は、金種ごとに振分爪１１３を有し、それぞれに対応する不図示の穴を形成している。さらに、上記のそれぞれの穴に対応するように、リジェクト通路１１４、通路１１６が形成されている。
【００４５】
これにより、振分爪１１３によって振り分けられた硬貨は、それぞれに対応する穴を通り、リジェクト硬貨は振分部の下方のリジェクト通路部１１４に放出され、出金搬送部１１２に搬送される。１０円、１００円、５０円、５００円はそれぞれ振分部１０７の下方の通路１１６に放出され、一時保留部１０８に保留される。
【００４６】
一時保留部１０８は、硬貨を保留する保留部と、開閉可能なシャッタとで構成されている。シャッタを開くことにより保留された硬貨を放出することができる。なお、放出された硬貨は、一時保留部１０８の下方に設けられた釣銭通路部１０９を介して、それぞれの金種に対応した釣銭収納部１０１、図６中左から順に１０円用、１００円用、５０円用、５００円用に搬送される。釣銭収納部１０１は、１０円用、１００円用が各３０００枚程度、５０円用、５００円用が各３００枚程度、即ち全金種合わせて６６００枚程度が収納可能である。このように多量の硬貨が収納可能であるため、例えば硬貨を満杯に近い量まで収納した際には、硬貨処理装置１００の重量は特に大きくなる。
【００４７】
また、利用者の返却操作時には、一時保留された硬貨を、各一時保留部１０８の下方に釣銭通路部１０９とは別に設けられた不図示の返却通路部に放出し、出金搬送部１１２に搬送することができる。
【００４８】
釣銭収納部１０１は、各一時保留部１０８の下方に構成されており、硬貨を放出する不図示の放出口が設けられている。不図示の放出口は、不図示の振分爪を有している。釣銭収納部１０１は、振分爪を駆動することで、出金搬送部１１２、回収通路１１１のそれぞれに硬貨を振り分けることができる。釣銭収納部１０１は、利用者への釣銭としての硬貨を出金搬送部１１２へ放出する。また、釣銭収納部１０１が満杯にならないように、収納された硬貨を、例えば図７で後述する金庫部２０７へ供給するように構成されてい収納した硬貨を、回収通路１１１へ放出することで回収できる。
【００４９】
出金搬送部１１２は、釣銭収納部１０１の下方に設置され、出金口部１０３まで延設されており、利用者へのリジェクト硬貨、返却硬貨、釣銭硬貨を出金口部１０３まで搬送するものである。
【００５０】
以上の硬貨処理装置１００によれば、バネで衝撃を緩和するスライド機構１を備えるので、例えば、釣銭収納部１０１等に硬貨が満杯近く補充され重量が大きくなった場合でも、例えば第２のストッパ６（図１参照）が破損して硬貨処理装置１００が脱落してしまうことがなく、例えば強い力で素早く引き出すことも可能になる。なお、先に説明したスライドレール機構１に用いられているスライドレール８は、市販のスライドレールを用いてもよい。このような市販のスライドレールは、動作の範囲を規制するストッパがあらかじめ備えられている。この場合、例えば、重量の大きくなった硬貨処理装置１００を引き出す際に、市販のスライドレールのストッパが仮に破損しても、衝撃を緩和するストッパ、第１の実施の形態では、第２のストッパ６（図１参照）が補助的に働き、衝撃を緩和することにより硬貨処理装置１００が脱落してしまうことがない。
【００５１】
つぎに、図７、図８、図９を参照して、本発明の第３の実施の形態に係る上記硬貨処理装置１００を備えた取引装置としての自動券売機２００について説明する。図７は自動券売機２００での、硬貨処理装置１００の設置を説明する概略ブロック図、図８は自動券売機２００の接客部２１０を示す概略ブロック図、図９は自動券売機２００の各部の関係を示す概略ブロック図である。
【００５２】
まず、図７のブロック図を参照して、硬貨処理装置１００の自動券売機への設置について説明する。硬貨処理装置１００は、例えば、自動券売機２００の一角に設置される。図７は、自動券売機２００を、利用者が購入操作をする接客部２１０（図８参照）とは反対側の、係員の操作面を示している。自動券売機２００は、貨幣としての紙幣を処理する貨幣処理装置としての紙幣処理装置２０２と、プリペードカード等カード類を処理する貨幣処理装置としてのカード処理装置２０３と、切符等を発行する券印刷装置２０４とを含んで構成される。硬貨処理装置１００は、紙幣処理装置２０２と併設される。さらに、自動券売機２００は、係員が操作するための操作盤２０１を備えている。以下、上記構成について説明する。
【００５３】
自動券売機２００は、装置の外枠である筐体２０５を含んで構成される。筐体２０５内には、基礎としてのフロアベース２０６が形成されている。フロアベース２０６は、水平に形成された板状の部材である。各処理装置は、スライドレール機構１を備えており、スライドレール機構１を介して筐体２０５に取り付けられている。図中左側から硬貨処理装置１００、紙幣処理装置２０２、券印刷装置２０４が、それぞれスライドレール機構１を介してフロアベース２０６に載置されている。また、操作盤２０１は、筐体２０５内のおよそ上部中央に設置されている。さらに、カード処理装置２０３は、スライドレール機構１を介して操作盤２０１下部に取り付けられている。即ちカード処理装置２０３は、基礎としての操作盤２０１にスライドレール機構１を介して吊り下げられる。硬貨処理装置１００、紙幣処理装置２０２、カード処理装置２０３、券印刷装置２０４は、スライドレール機構１により、それぞれ所定の位置まで引き出すことができる。
【００５４】
さらに、自動販売機２００は、硬貨処理装置１００に収納された硬貨を回収するための金庫部２０７を備えている。金庫部２０７は、フロアベース２０６の下部に硬貨処理装置１００に対応するように設置される。硬貨処理装置１００と、金庫部２０７とは、図６で前述した回収通路１１１により接続されている。自動販売機２００は、硬貨処理装置１００に収納された硬貨を金庫部２０７へ回収できるように構成される。
【００５５】
さらに図８に示すように、自動券売機２００は、硬貨処理装置１００と、利用者の操作を受け付ける接客部２１０を備えている。接客部２１０には自動券売機２００が乗車券を発売中であるか否かを表示するための案内表示部２１１と、各口座に対応した口座選択ボタン２１２が配設されている。
【００５６】
さらに、接客部２１０は、硬貨を投入するための硬貨投入口２１３と、紙幣を挿入する紙幣挿入口２１４と、プリペードカードを挿入するためのカード挿入口２１５と、乗車券が放出される券放出口２１６と、釣銭が放出される硬貨放出口２１７、紙幣放出口２１８と、金額を表示する表示部２１９を有している。ここで、表示部２１９に表示される金額は、硬貨投入口２１３から投入された硬貨の累計金額、紙幣挿入口２１４から挿入された紙幣の累計金額、カード挿入口２１５から挿入されたプリペードカードの残額、釣銭金額等である。
【００５７】
また、硬貨投入口２１３は、硬貨処理装置１００に連通され、硬貨投入口２１３から投入された硬貨は硬貨処理装置１００によって識別、計数された後に収納される。紙幣挿入口２１４は、紙幣処理装置２０２と連通され、紙幣挿入口２１４から挿入された紙幣は紙幣処理装置２０２によって識別、計数された後に収納される。カード挿入口２１５は、カード処理装置２０３に連通され、カード挿入口２１５から挿入されたプリペードカードはカード処理装置２０３によって識別、残額検出された後に、カード処理装置２０３に保留される。
【００５８】
図９に示すように、硬貨処理装置１００の制御部１１０、紙幣処理装置２０２の制御部２２０、カード処理装置２０３の制御部２２１は主制御部２２３に接続され、硬貨、紙幣、プリペードカード（以下単に貨幣という。）が投入あるいは挿入されると、投入あるいは挿入された貨幣のデータを主制御部２２３に送信する。主制御部２２３には、案内表示部２１１、口座選択ボタン２１２、表示部２１９が接続され、口座選択ボタン２１２の入力により口座が確定される。
【００５９】
また、主制御部２２３には券印刷装置２０４の制御部２２２が接続されており、主制御部２２３の指令に基づき、口座に対応する乗車券を印刷し、釣銭があるときは券放出口２１６から乗車券を発券するとともに釣銭を硬貨放出口２１７、紙幣放出口２１８から放出する。プリペードカードが使用された場合には、プリペードカードはカード挿入口２１５に戻され、カード挿入口２１５から所定の長さだけ突き出て、利用者に返却される。
【００６０】
以上のように、上述の自動発券機２００によれば、重量のある装置、例えば硬貨処理装置１００を引き出す際にも円滑な作業を行うことができる。また、自動販売機２００は、上記のように装置が複数設置されている場合でも、各装置がスライドレール機構１を介して取り付けられていることで、各々の装置について容易に保守・点検を行うことができる。このため、例えば、駅務のような迅速さが要求され、煩雑な作業において、素早く確実に作業を行うことができる。即ち運用効率がよい。
【００６１】
【発明の効果】
以上のように本発明によれば、重量のある装置を引き出すために用いられる装置引出機構において、基礎に取り付けられる支持部と、前記支持部に対して相対移動できるように、前記支持部に支持された引出部と、前記引出部に取り付けられた第１の制止部材と、前記支持部に取り付けられ、前記引出部が所定の位置まで前記相対移動により移動したときに、前記第１の制止部材に当接することにより、前記引出部の移動を制止する第２の制止部材と、前記第１の制止部材と前記第２の制止部材との両方又はいずれか一方を弾性支持するバネとを備えるので、重量のある装置を引き出す際にも脱落することなく円滑な作業を行うことができる装置引出機構の提供を実現することができる。
【図面の簡単な説明】
【図１】本発明の第１の実施の形態にかかるスライドレール機構のグランドブラケットがグランドベースから引き出された状態を示す平面図である。
【図２】本発明の第１の実施の形態にかかるスライドレール機構のグランドブラケットがグランドベースに収納された状態を示す平面図である。
【図３】本発明の第１の実施の形態にかかるスライドレール機構を図２のＡ方向から見た矢視図であり、スライドレール機構の構成を説明するため手前一部分を省略した図である。
【図４】本発明の第１の実施の形態にかかるスライドレール機構のストッパ部の分解斜視図である。
【図５】本発明の第２の実施の形態にかかる硬貨処理装置の外観を示す斜視図である。
【図６】本発明の第２の実施の形態にかかる硬貨処理装置の概略構造図を示す模式的断面図である。
【図７】本発明の第３の実施の形態にかかる自動券売機において、本発明の第２の実施の形態にかかる硬貨処理装置の設置を説明する概略ブロック図である。
【図８】本発明の第３の実施の形態にかかる自動券売機の接客部を示す概略ブロック図である。
【図９】本発明の第３の実施の形態にかかる自動券売機において、各部の関係を示す概略ブロック図である。
【符号の説明】
１  スライドレール機構
２  グランドベース
３、３ａ、３ｂ、３ｃ、３ｄ  グランドブラケット
４  第１のストッパ
５  ストッパレール
６  第２のストッパ
７  コイルバネ
８  スライドレール
８ａ  外レール
８ｂ  中レール
８ｃ  内レール
９  ストッパブラケット
１２  スライドレール部
１３  ストッパ部
１００  硬貨処理装置
１０１  釣銭収納部
１１５  コの字型ブラケット
２００  自動券売機
２０１  操作盤
２０２  紙幣処理装置
２０３  カード処理装置
２０４  券印刷装置
２０５  筐体
２０６  フロアベース
２１０  接客部
【図１】
2004240921.tif 000003
【図２】
2004240921.tif 000004
【図３】
2004240921.tif 000005
【図４】
2004240921.tif 000006
【図５】
2004240921.tif 000007
【図６】
2004240921.tif 000008
【図７】
2004240921.tif 000009
【図８】
2004240921.tif 000010
【図９】
2004240921.tif 000011